(57)【特許請求の範囲】
【請求項１】
集合玄関に設置された集合玄関機（１１）で入力装置（１１５）の操作により居室機（１２）を選局して呼出し、前記玄関機の玄関機カメラ（１１１）で撮像された映像信号を前記居室機のモニタ（１２２）で出画し、前記集合玄関機の玄関機マイク（１１４）、玄関機スピーカ（１１２）と、前記居室機のハンドセット（１２１）の居室機マイク（１２１ｍ）、居室機レシーバ（１２１ｒ）とで通話を行なって、前記居室機の電気錠ボタン（１２３）の解錠操作で解錠信号を送出し前記集合玄関のオートドア（３）を解錠する集合住宅インーターホン装置であって、
前記集合玄関には、前記居室機の電気錠ボタンの解錠操作に連動して前記玄関機カメラからの映像信号と切替えて前記オートドアを通過する人物を監視しその映像信号を前記居室機のモニタで出画するためのオートドアカメラ（１５）を設置したことを特徴とする集合住宅インーターホン装置。
【発明の詳細な説明】
【０００１】
【発明の属する技術分野】
本発明は集合住宅インターホン装置に係わり、特に、集合玄関のオートドアを通過する人物を監視可能とし、防犯効果を向上させる集合住宅インターホン装置に関する。
【０００２】
【従来の技術】
従来から、集合住宅インターホン装置には、図４に示すように、集合玄関に設置される集合玄関機２１と、各居室に設置される居室機２２とが主装置２３にそれぞれ伝送ラインＬ２１、Ｌ２２を介して接続されて設けられる。
集合玄関機２１には、玄関機スピーカ２１２及び玄関機マイク２１４、種々の操作の表示をする操作表示部２１３、各居室機を呼出すために居室機の選局を行うテンキースイッチ等の入力装置２１５が、集合玄関機２１が設置される周囲を撮像するための玄関機カメラ２１１と共に設けられる。
【０００３】
また、居室機２２には、集合玄関機２１の玄関機スピーカ２１２及び玄関機マイク２１４にそれぞれ接続され、通話を可能とする居室機マイク２２１ｍ及び居室機レシーバ２２１ｒを備えたハンドセット２２１と、集合玄関機２１の玄関機カメラ２１１において撮像される映像信号を出画するモニタ２２２と、集合玄関のオートドア３を解錠するための電気錠ボタン２２３が設けられる。
【０００４】
更に、主装置２３に伝送ラインＬ２４を介して接続されるオートドア制御機２４が設けられ、オートドア制御機２４に伝送ラインＬ２５を介して接続されるオートドア３が居室機２２の電気錠ボタン２２３の操作により解錠、施錠を制御されるようになっている。
【０００５】
【発明が解決しようとする課題】
このような集合住宅インターホン装置においては、図５（ａ）、（ｂ）に示すように、集合玄関機２１の玄関機カメラ２１１は来訪者Ｈｕ２１の確認を行うために居室機を呼出した通話の相手である来訪者Ｈｕ２１の映像を居室機２２のモニタ２２２に出画させるため、その撮影ゾーンＺ２は集合玄関機２１の前面の範囲となっている。
【０００６】
しかしながら、集合玄関機２１は玄関ドアの近傍であって、玄関ドアが設けられる同一の壁面４に設置されることが多く、オートドア３は玄関機カメラ２１１の撮影ゾーンＺ２から外れてしまう。このため、居室機２２のモニタ２２２にはオートドア３近傍の映像は出画されず、オートドア３近傍の監視は不可能であって、オートドア３から集合住宅内への入館者Ｈｕ２２の確認ができないという欠点があった。
【０００７】
本発明は上述した難点に鑑みなされたもので、オートドア近傍の監視を可能とし、オートドアの開閉及びオートドアを通過する人物を確認可能とし、防犯効果を向上させ得る集合住宅インターホン装置を提供することを目的としている。
【０００８】
【課題を解決するための手段】
上記目的を達成するため本発明の集合住宅インターホン装置は、集合玄関に設置された集合玄関機で入力装置の操作により居室機を選局して呼出し、玄関機の玄関機カメラで撮像された映像信号を居室機のモニタで出画し、集合玄関機の玄関機マイク、玄関機スピーカと、居室機のハンドセットの居室機マイク、居室機レシーバとで通話を行なって、居室機の電気錠ボタンの解錠操作で解錠信号を送出し集合玄関のオートドアを解錠する集合住宅インーターホン装置であって、集合玄関には、居室機の電気錠ボタンの解錠操作に連動して玄関機カメラからの映像信号と切替えてオートドアを通過する人物を監視しその映像信号を居室機のモニタで出画するためのオートドアカメラを設置したものである。
【０００９】
集合玄関に設置される集合玄関機により居室機を呼出した来訪者と居室機で通話中は、集合玄関機に設置される玄関機カメラで来訪者をモニタし、居室機の電気錠ボタンを操作することにより、集合玄関のオートドアを解錠させると共に、居室機のモニタと、オートドアを監視可能な位置に設置されるオートドアカメラとを玄関機カメラから切替えて接続するようにしたため、解錠されたオートドアを通過する来訪者を居室機のモニタで確認することができる。このため、集合住宅への入館者を確認でき、防犯効果を向上させることができる。
【００１０】
【発明の実施の形態】
以下、本発明の集合住宅インターホン装置における好ましい実施の形態例を図面を参照して説明する。
集合住宅インターホン装置は、図１に示すように、主装置１３にそれぞれ伝送ラインＬ１１、Ｌ１２を介して接続されて設けられる集合玄関に設置される集合玄関機１１と、各居室に設置される居室機１２とを有する。
【００１１】
集合玄関機１１には、居室内の者との通話を可能とする玄関機スピーカ１１２及び玄関機マイク１１４、種々の操作の表示を行う操作表示部１１３、各居室機を呼出すために居室機の選局を行うテンキースイッチ等の入力装置１１５、各居室機を呼出した通話の相手である来訪者の映像をモニタするための玄関機カメラ１１１が設けられる。
【００１２】
また、居室機１２には、集合玄関機１１の玄関機スピーカ１１２及び玄関機マイク１１４にそれぞれ接続され、通話を可能とする居室機マイク１２１ｍ及び居室機レシーバ１２１ｒを備えたハンドセット１２１と、集合玄関機１１の玄関機カメラ１１１で撮像される映像信号を出画するモニタ１２２と、集合玄関のオートドア３を解錠するための電気錠ボタン１２３とが設けられる。
【００１３】
更に、集合玄関には、主装置１３に伝送ラインＬ１４を介して接続されるオートドア制御機１４に、伝送ラインＬ１５を介して接続され自動解錠、施錠されるオートドア３が備えられると共に、オートドア３が撮影ゾーンＺ１２に含まれる位置に設置されるオートドアカメラ１５が設置される。オートドアカメラ１５は伝送ラインＬ１３を介して主装置１３に接続されて設けられる。
【００１４】
このような集合住宅インターホン装置の主装置１３には、図２に示すように、集合玄関機１１に接続される伝送ラインＬ１１の接続端子Ｔ１３１、オートドアカメラ１５に接続される伝送ラインＬ１３の接続端子Ｔ１３２、オートドア制御機１４に接続される伝送ラインＬ１４の接続端子Ｔ１３３、居室機１２に接続される伝送ラインＬ１２の接続端子Ｔ１３４が設けられる。接続端子Ｔ１３１、Ｔ１３２にはそれぞれ集合玄関機インターフェース１３１、オートドアカメラインターフェース１３２を介して映像信号切替回路１３４が接続され、集合玄関機１１の玄関機カメラ１１１から送られる玄関機カメラ映像信号S131と、オートドア３のオートドアカメラ１５から送られるオートドアカメラ映像信号S132は、それぞれ集合玄関機インターフェース１３１、オートドアカメラインターフェース１３２を介して映像信号切替回路１３４に入力されるようになっている。更に、映像信号切替回路１３４の入力側にはＣＰＵ１３５が接続され、出力側には接続端子Ｔ１３４に接続される居室機インターフェース１３７が接続される。居室機インターフェース１３７の出力側には、居室機１２から居室機インターフェース１３７を介して送られる居室機幹線データ信号S137から電気錠ボタン信号S136を取り出すデータモデム回路１３６が接続される。データモデム回路１３６の出力側にはＣＰＵ１３５が接続され、ＣＰＵ１３５の出力側にはオートドア制御機インターフェース１３３を介して接続端子Ｔ１３３が接続される。このため、データモデム回路１３６において居室機幹線データ信号S137から電気錠ボタン信号S136が取り出されると、ＣＰＵ１３５からオートドア制御機インターフェース１３３を介してオートドア制御機１４にオートドア開閉信号S133が出力されオートドア３が解錠される。これと同時に、ＣＰＵ１３５から映像信号切替回路１３４に映像切替制御信号S135が出力され、映像信号切替回路１３４から玄関機カメラ映像信号S131をオートドアカメラ映像信号S132に切替えた居室機映像配信信号S134が居室機インターフェース１３７を介して居室機１２のモニタ１２２に送られる。このため、居室機１２のモニタ１２２には集合玄関のオートドア３を通過する人物が出画されるようになっている。
【００１５】
このような集合住宅インターホン装置において、来訪者が集合玄関機１１の入力装置１１５を操作して来訪する居室の居室機１２を呼出し、居室機１２が応答することにより、集合玄関機１１の玄関機マイク１１４及び玄関機スピーカ１１２と、居室機１２のハンドセット１２１の居室機マイク１２１ｍ及び居室機レシーバ１２１ｒとで通話が行われる。このとき、主装置１３の映像信号切替回路１３４からは玄関機カメラ１１１からの映像信号S131に相当する居室機映像配信信号S134が出力され、集合玄関機１１の玄関機カメラ１１１の撮影ゾーンＺ１１に位置している来訪者Ｈｕ１１の映像が居室機１２のモニタ１２２に出画される。居室機１２でオートドア３の電気錠ボタン１２３を操作してオートドア３の解錠を行うと、伝送ラインＬ１２を伝送された居室機幹線データ信号S137が居室機インターフェース１３７を介してデータモデム回路１３６に入力され、データモデム回路１３６において取り出された居室機電気錠ボタン信号S136がＣＰＵ１３５に出力される。これによりＣＰＵ１３５からオートドア制御機インターフェース１３３を介してオートドア制御機１４へオートドア開閉信号S133が出力され、オートドア３が開かれる。これと同時に、ＣＰＵ１３５から映像切替制御信号S135が映像信号切替回路１３４へ出力され、映像信号切替回路１３４からオートドアカメラ１５からの映像信号S132に相当する居室機映像配信信号S134が出力され、居室機１２のモニタ１２２には、オートドアカメラ１５からの映像が出画され、居室機１２においてオートドア３を通過する人物Ｈｕ１２の確認をすることができる。このとき、来訪者がオートドア３を通過する前に別の人物が通過してドートドア３が施錠された場合でも、居室機１２の電気錠ボタン１２３を操作して、再度オートドア３を解錠することができ、また、先の入館者を確認することにより適宜防犯措置を取ることもでき、防犯効果を向上させることができる。
【００１６】
尚、上記実施例では集合住宅に設置したインターホン装置について説明したが、集合住宅に限らず、事務所、病院等何れの建物にも好適に適用できる。
【００１７】
【発明の効果】
以上の説明から明らかなように、本発明の集合住宅インターホン装置によれば、集合玄関に、居室機の電気錠ボタンの解錠操作に連動して玄関機カメラからの映像信号と切替えてオートドアを通過する人物を監視しその映像信号を居室機のモニタで出画するためのオートドアカメラを設置したため、集合住宅への入館者を確認でき、防犯効果を向上させることができる。
【図面の簡単な説明】
【図１】本発明の集合住宅インターホン装置の一実施例を示すブロック図。
【図２】図１に示す実施例の主装置のブロック図。
【図３】（ａ）、（ｂ）は図１に示す実施例の動作の説明図。
【図４】従来例を示すブロック図。
【図５】（ａ）、（ｂ）は従来例の動作の説明図。
【符号の説明】
１１・・・・・集合玄関機
１１１・・・・・玄関機カメラ
１１２・・・・・玄関機スピーカ
１１４・・・・・玄関機マイク
１２・・・・・居室機
１２１・・・・・ハンドセット
１２１ｍ・・・・・居室機マイク
１２１ｒ・・・・・レシーバ
１２２・・・・・モニタ
１２３・・・・・電気錠ボタン
１５・・・・・オートドアカメラ
３・・・・・オートドア
【図１】
0003729663.tif 000002
【図２】
0003729663.tif 000003
【図３】
0003729663.tif 000004
【図４】
0003729663.tif 000005
【図５】
0003729663.tif 000006